(57)【特許請求の範囲】
【請求項１】
密封した袋中に、二室に隔離して、第一室に（Ｂ）水及び／又は含水塩と（Ｃ）酸又は（Ｄ）炭酸塩を、他室に（Ａ）水と反応して発熱する発熱剤と（Ｃ）酸又は（Ｄ）炭酸塩を封入し、使用時に成分（Ａ）〜（Ｄ）を当該袋中で混合することにより膨らむ温熱袋。
【請求項２】
密封した袋中に、二室に隔離して、第一室に（Ｂ）水及び／又は含水塩を、他室に（Ａ）水と反応して発熱する発熱剤、（Ｃ）酸及び（Ｄ）炭酸塩を封入し、使用時に成分（Ａ）〜（Ｄ）を当該袋中で混合することにより膨らむ温熱袋。
【請求項３】
密封した袋中に、三室に隔離して、第一室に（Ｂ）水及び／又は含水塩を、第二室に（Ａ）水と反応して発熱する発熱剤及び（Ｄ）炭酸塩を、第三室に（Ｃ）酸を封入し、使用時に成分（Ａ）〜（Ｄ）を当該袋中で混合することにより膨らむ温熱袋。
【請求項４】
更に発熱剤を封入した袋又は室を連結することにより、多段階に発熱反応を行う請求項１〜３のいずれか１項記載の発熱袋。
【請求項５】
成分（Ａ）〜（Ｄ）の混合液のｐＨが酸性である請求項１〜４のいずれか１項記載の温熱袋。
【請求項６】
身体に固定するための手段を有する請求項１〜５のいずれか１項記載の温熱袋。
【請求項７】
袋の外側の少なくとも片面に、薬剤層を有する請求項１〜６のいずれか１項記載の温熱袋。
【発明の詳細な説明】
【０００１】
【発明の属する技術分野】
本発明は、温熱作用と同時に炭酸ガスが発生して膨らむ温熱袋に関する。
【０００２】
【従来の技術】
身体各部を温めて、疲れやむくみを改善するための製品が数多く知られ、例えば温熱クリーム、温熱シップ等が市販されている。しかし、これらは単に温熱を与えるだけであり、疲れやむくみに対して十分な効果は得られない。
また、金属粉の酸化熱を利用した化学カイロ等も知られているが、これも単に温めるだけで、疲れやむくみに対する効果は十分でない。
【０００３】
【発明が解決しようとする課題】
本発明の目的は、疲れやむくみを改善する効果に優れた温熱袋を提供することにある。
【０００４】
【課題を解決するための手段】
本発明者らは、発熱剤と水との発熱反応による温熱と同時に、炭酸塩と酸の反応による炭酸ガスの発生により袋を膨らませ、身体の一部を圧迫すれば、温熱作用と圧迫開放の相剰効果で、高い血流改善効果が得られ、疲れやむくみを大きく改善できることを見出した。
【０００５】
すなわち、本発明は、密封した袋中に（Ａ）水と反応して発熱する発熱剤、（Ｂ）水及び／又は含水塩、（Ｃ）酸及び（Ｄ）炭酸塩を、これらの成分が反応しないように封入し、使用時に成分（Ａ）〜（Ｄ）を当該袋中で混合することにより膨らむ温熱袋を提供するものである。
【０００６】
【発明の実施の形態】
本発明で用いる成分（Ａ）の発熱剤としては、水と反応したときに発熱反応を示すものであれば特に制限されず、例えば塩化カルシウム、塩化マグネシウム、酸化カルシウム、酸化マグネシウム、硫酸マグネシウム、硫酸アルミニウム等の無機塩類；ゼオライト；エタノール、グリセリン、ポリエチレングリコール等のアルコールなどが挙げられ、特に塩化カルシウム、ゼオライトが好ましい。
【０００７】
また、成分（Ｂ）のうち、含水塩としては、例えば炭酸ナトリウム１０水和物、炭酸ナトリウム７水和物、硫酸ナトリウム１０水和物、リン酸２ナトリウム１２水和物等が挙げられる。
【０００８】
成分（Ｃ）の酸としては、例えばコハク酸、クエン酸、酒石酸、アスコルビン酸、リンゴ酸、フマル酸、マロン酸等の有機酸；ホウ酸、ケイ酸、リン酸、リン酸二水素ナトリウム、亜硫酸ナトリウム、酸性ピロリン酸等の無機酸が挙げられる。これらのうち、有機酸、特にコハク酸、クエン酸が好ましい。
【０００９】
成分（Ｄ）の炭酸塩としては、例えば炭酸ナトリウム、炭酸カルシウム、炭酸水素ナトリウム、炭酸カリウム、炭酸水素カリウム、炭酸アンモニウム、セスキ炭酸ナトリウム等が挙げられ、特に炭酸水素ナトリウムが好ましい。成分（Ｃ）に対する成分（Ｄ）の割合は、０．１〜１０重量倍が好ましい。
また、成分（Ｃ）、（Ｄ）の封入量は、これらの反応により発生する炭酸ガスと密封する袋の体積の関係から適宜決定される。
さらに、成分（Ａ）〜（Ｄ）を混合した液のpHは酸性〜弱アルカリ性、特にpH２〜７が好ましい。
【００１０】
これらの４成分は、保存中、使用時まで、（Ａ）発熱剤と（Ｂ）水；（Ｃ）炭酸塩と（Ｄ）酸がそれぞれ反応しないよう、すなわち、発熱反応及び炭酸ガス発生反応が起こらないように隔離して袋中に封入される。好ましくは、成分（Ａ）と（Ｂ）が接触しないよう、また成分（Ｂ）、（Ｃ）及び（Ｄ）の３成分が接触しないように隔離して封入される。従って、例えば成分（Ｃ）又は（Ｄ）は成分（Ｂ）と一緒にして水溶液として封入することができる。
また、成分（Ｂ）として、炭酸塩水和物を用いた場合には、成分（Ｄ）を兼ねることができ、その際には、成分（Ａ）、（Ｂ）及び（Ｃ）の３成分が接触しないように隔離して封入される。例えば二室に隔離する場合、一室に成分（Ｂ）、他室に成分（Ａ）及び（Ｃ）を封入することができる。
各成分の封入量は、目的とする温熱温度、発熱時間、袋の体積等に応じて適宜決定できるが、成分（Ｂ）は反応する水の量として、成分（Ａ）の０．５重量倍以上、特に２〜１０重量倍であるのが好ましい。また、成分（Ｃ）及び（Ｄ）との関係で、１〜３００重量倍が好ましい。
【００１１】
袋を構成する材料としては特に制限されず、例えばポリエチレン、ポリプロピレン、ポリエステル、ポリアミド等の合成樹脂フィルムの単層又は多層フィルムや、これらに金属箔をラミネートしたり、金属蒸着したフィルムなどが挙げられる。また、袋の外側を、天然繊維、合成繊維の織布、不織布等で被覆して、より優れた感触を得ることもできる。
前記のように封入する方法としては、例えば外袋と内袋とを構成する二重袋構造にする方法、隔壁を設けて二室以上に分けて隔離する方法等が挙げられ、常法により行うことができる。
【００１２】
二重袋構造とする場合、内袋は外袋を構成するフィルムに比べ強度が相対的に弱いものが使用され、通常の保存状態においては簡単に破けることなく、使用時に必要な強度を加えたときに破袋する程度の強度が必要である。また、内袋のシール部がこのような強度であっても良い。例えば内袋に成分（Ｂ）を充填し、外袋に成分（Ａ）、（Ｃ）及び（Ｄ）を封入して密封する；内袋に成分（Ｂ）と（Ｃ）又は（Ｄ）を充填し、外袋に成分（Ａ）と（Ｃ）又は（Ｄ）を封入して密封する方法などにより、二重袋構造の温熱袋が得られる。
【００１３】
また、二室以上に隔離する場合、隔壁を構成するフィルム等は他の部分のフィルム等に比べ強度が相対的に弱いものが使用され、二重袋構造の場合の内袋と同様の強度が必要である。二室に隔離するには、一室に成分（Ｂ）を、他室に成分（Ａ）、（Ｃ）及び（Ｄ）を密封する；一室に成分（Ｂ）と（Ｃ）又は（Ｄ）を、他室に成分（Ａ）と（Ｃ）又は（Ｄ）を密封する方法により、温熱袋が得られる。三室以上に隔離するには、例えば第一室に成分（Ｂ）を、第二室に成分（Ａ）及び（Ｄ）を、第三室に成分（Ｃ）を密封する；成分（Ａ）〜（Ｄ）をそれぞれ一室に密封する方法等が挙げられる。
【００１４】
本発明の温熱袋は、使用時に内袋又は隔壁をたたく、押圧する、折曲げる、引張る等により破袋し、当該密封した袋中で（Ａ）〜（Ｄ）の４成分を混合する。これにより、成分（Ａ）と（Ｂ）が反応して、温熱作用が得られると同時に、成分（Ｃ）と（Ｄ）の反応により炭酸ガスが発生して、袋が膨らむ。
【００１５】
本発明の温熱袋には、その外側の少なくとも片面、例えば身体の一部に固定して使用する場合等に皮膚に直接又は衣類等を介して間接的に接する面に、薬剤層を設けることができる。薬剤としては、例えば酸性ムコポリサッカライド、カミツレ、セイヨウトチノキ、イチョウ、ハマメリスエキス、ビタミンＥ、ニコチン酸誘導体、アルカロイド化合物等の血行促進剤；セイヨウトチンキ、フラボン誘導体、ナフタリンスルホン酸誘導体、アントシアニジン、ビタミンＰ、きんせんか、コンコリット酸、シラノール、テルミナリア、ビスナガ、マユス等のむくみ改善剤；アミノフィリン、茶エキス、カフェイン、キサンチン誘導体、イノシット、デキストラン硫酸誘導体、セイヨウトチノキ、エスシン、アントシアニジン、有機ヨウ素化合物、オトギリ草、シモツケ草、スギナ、マンネンロウ、朝鮮人参、セイヨウキヅタ、チオムカーゼ、ヒアルウロニダーゼ等のスリム化剤；インドメタシン、ｄｌ−カンフル、ケトプロフェン、トウガラシエキス、ピロキシカム、フェルビナック、サリチル酸メチル、サリチル酸グリコール等の鎮痛剤；ラベンダー、ローズマリー、シトロン、ジェニパー、ペパーミント、ユーカリ、ベルガモット、イランイラン、ローズウッド、オレンジ等の香料などが挙げられ、１種以上を用いることができる。また、薬剤を含有する層を袋の外側に設けるには、例えば上述の薬剤を含むパップ、プラスター剤等の薬剤層をあらかじめ作成し、ヒートシール、接着剤等の手段により袋に付設したり、あるいは直接温熱袋に薬効剤を含浸させることにより、行うことができる。
【００１６】
また、例えば図１に示すように、更に発熱剤を封入した袋又は室を連結することにより、多段階に温熱効果を得ることができる。すなわち、図１において、まず、室（１）と（２）の間のシール部ａを破り、成分（Ａ）〜（Ｄ）を混合して発熱反応及び炭酸ガス発生反応を行う。この反応が終了した後、シール部ｂを破り、当該混合液を、室（３）に封入しておいた成分（Ｂ）以外の成分、特に成分（Ａ）と混合して、発熱（及び炭酸ガス発生）反応を行う。更に、同様のシール部により隔離した複数の室に成分（Ｂ）以外の成分を封入して、このような操作をくり返せば、２回以上の多段階に発熱反応を行うことができ、長時間にわたり温熱効果が得られる。
【００１７】
本発明の温熱袋は、温熱作用と同時に袋が膨らむことから、携帯用水枕、クッション等として利用できる。
また、この温熱袋に、腕、足、肩等の身体の一部に固定するための手段、例えば面ファスナー、バンド、テープ等を設け、身体の一部に固定して使用することもできる。これらの固定手段を温熱袋に取り付ける方法は特に制限されず、例えばヒートシール、テープ、のり、接着剤、ホットメルト、縫合等により取り付けることができる。
身体の一部に固定して使用するには、例えば土踏まずやふくらはぎ等に巻くようにして固定した後、内袋又は隔壁を破袋して４成分を混合することにより、当該部位を温めると同時に圧迫でき、一定時間経過後、固定手段をはずすことにより、圧迫が解除されその結果、開放効果が得られる。この温熱作用と圧迫開放の相剰効果で、高い血流改善効果が得られ、足の疲れやむくみを十分に改善できる。
【００１８】
【発明の効果】
本発明の温熱袋は、温熱作用と同時に、炭酸ガスが発生して膨らむ。携帯用水枕、クッションや、身体の一部に固定して疲れやむくみを改善するのに用いるのに好適である。
特に身体の一部に固定して使用する場合には、身体各部に対する温熱作用に、圧迫開放作用を併用し、血流促進・改善効果を向上し、その結果疲れやむくみを改善することができる。
ここで言う圧迫作用とは、人体外部から圧力を加える作用をいう。これによって、老廃物を含んだ体液の再吸収を促進する効果がある。開放作用とは、圧迫作用を解除したときの作用であり、圧力を解除することにより、新鮮血流を組織に供給することができる。
【００１９】
【実施例】
実施例１
図２に本発明の温熱袋の一例を示す。
すなわち、ポリエチレン／ポリプロピレンのフィルムからなる二重袋で、内袋に成分（Ｂ）及び（Ｃ）として、１５重量％コハク酸水溶液１００ｇ、外袋に成分（Ａ）及び（Ｄ）として、ゼオライト１００ｇ及び炭酸水素ナトリウム３ｇが密封されている。
内袋のシールは弱いシールで、使用時にこのシール部に外部から衝撃を与えて内袋をやぶり、両袋の成分を混合する。混合液はpH３．９であった。
温熱袋は、温熱作用を示すと同時に、袋中で炭酸ガスが発生して膨らみ、簡便に、温熱枕・クッションが得られた。
【００２０】
実施例２
図３に身体の一部に固定して使用する本発明の温熱袋の一例を示す。
すなわち、ポリエチレン／ポリプロピレンのフィルムからなる二重袋で、内袋に成分（Ｂ）及び（Ｄ）として、１重量％炭酸水素ナトリウム水溶液４０ｇ、外袋に成分（Ａ）及び（Ｃ）として、ゼオライト１２．５ｇ及びコハク酸０．４ｇが密封され、さらに両端に面ファスナーのオス・メスがそれぞれ設けられている。
内袋のシールは弱いシールで、使用時にこのシール部に外部から衝撃を与えて内袋をやぶり、両袋の成分を混合する。混合液はpH５．６であった。
混合後すぐに、土踏まずに固定すると、土踏まずが温められるとともに圧迫され、足の疲れを緩和する効果に優れていた。
【００２１】
試験例１
３０〜４０歳代男性８名を対象に、１日立ち仕事をした後に、サンプル装着前と後の血流量を測定した。
すなわち、温度；２０℃、湿度；４０ＲＨ％にコントロールされた部屋で、仰臥位で３０分間馴化した。馴化後、定常状態の足の母指球の血流量を血流計（ＰＥＲＩＦＬＵＸ  ＰＥＲＩＭＥＤ）で５分間測定し、その平均を定常状態の血流量とした。その後、土踏まずに実施例２の温熱袋の両室の成分を混合して固定し、５分間装着した後に温熱袋を取り外した。取り外した後の血流量を５分間測定しその平均を装着後の血流量とした。比較品として温熱作用のみの袋（実施例２において、炭酸水素ナトリウムを除いた以外は同じ袋）を作成し、同様に評価した。次式に従い血流量変化率を求めた。
【００２２】
【数１】
0004136198.tif 000002
【００２３】
その結果、比較品の血流変化率（平均値）は２０．３％であったのに対して、本発明の温熱袋の場合は、５７．２％であり、高い血流促進効果が認められた。
【００２４】
試験例２
２０〜３０歳代の女性１２人を対象に、１日立ち仕事をした後に、実施例２の温熱袋を１５分間土踏まずに使用し、使用後の足疲れ改善度及びむくみ改善度に関し、以下の５段階で評価した。比較品として、試験例１の比較品と同様のものを同時に評価した。
その結果、本発明品は、足疲れ・むくみに関し高い改善効果があることが判明した。
【００２５】
【表１】
0004136198.tif 000003
【００２６】
【表２】
0004136198.tif 000004
【図面の簡単な説明】
【図１】本発明の多段階に温めることができる温熱袋の一例を示す断面図である。
【図２】本発明の温熱袋の一例を示す平面図及び断面図である。
【図３】身体の一部に固定して使用する本発明の温熱袋の一例を示す平面図及び断面図である。
【図１】
0004136198.tif 000005
【図２】
0004136198.tif 000006
【図３】
0004136198.tif 000007